(57)【特許請求の範囲】
【請求項１】
前面を横方向に沿う膨出円弧状にした座金部片の上端部に水平方向にして受支部片を連設して座金枠を構成し、該座金枠の受支部片を、水平方向に配した取付部片の先端に緊締受部片を立設して構成した、Ｌ字形の本体枠の緊締受部片上に位置させて、前記本体枠と前記座金枠を互いに組合わせ、前記座金部片のカーテンウォール本体に接する前記前面の先端縁にカーテンウォール連結用の連結ボルトの貫通孔を設け、該貫通孔の緊締受部片側に、連結ボルトを螺合する螺子を刻設すると共に、前記該貫通孔が部分的に一致する横長の調節孔を、前記座金部片の後側に配した前記緊締受部片に設けた、カーテンウォール用ファスナー。
【発明の詳細な説明】
【０００１】
【産業状の利用分野】
本発明は、カーテンウォール本体と躯体との間に介在させ、カーテンウォール本体を躯体に固定するために用いるカーテンウォール用ファスナーに関するものである。
【０００２】
【従来の技術】
図６で示す通り、前面２ａを横方向に沿う膨出円弧状にした座金部片１０の上端部に水平方向にして受支部片１１を連設して座金枠２を構成し、該座金枠２の受支部片１１を、水平方向に配した取付部片３の先端に緊締受部片４を立設して構成した、Ｌ字形の本体枠１の緊締受部片４上に位置させ、緊締受部片４と座金部片１０を互いにビス１８で止着して本体枠１と座金枠２を互いに一体にした構造のものがある。
【０００３】
【発明が解決しようとする課題】
従来例のカーテンウォール用ファスナーは、緊締受部片４と座金部片１０に、カーテンウォール本体に設けたブラケットを通じて連結ボルトを貫通させ、緊締受部片４より突出するボルト先端に連結ナットを螺合締付けてカーテンウォール本体を躯体に固定するために用いるものであるが、カーテンウォール本体側のブラケットと躯体との取合いの関係上、連結ボルト８を貫通させる貫通孔６ａ，６ｂは、互いにビス１８で一体にした緊締受部片４および座金部片１０に設けた横長の長孔で構成しなければならない。
【０００４】
一方、座金部片１０のブラケットとの接触面（前面）を膨出円弧状にしたのは、ブラケットと該接触面の先端縁を常に線接触させ、ファスナーを介するカーテンウォール本体の躯体に対する取付け状態を安定させるためであるが、位置調節機能をさせるために、前記の貫通孔６ａ，６ｂを横長の長孔で構成すると、ときには、座金部片１０の前記接触面がブラケットに線接触せずに、複数個所で点接触し、連結ボルトによる理想的な締付け状態にならない。
【０００５】
本発明は斯様な従来例の欠点に着目して創案したものである。
【０００６】
【課題を解決するための手段】
前面を横方向に沿う膨出円弧状にした座金部片の上端部に水平方向にして受支部片を連設して座金枠を構成し、該座金枠の受支部片を、水平方向に配した取付部片の先端に緊締受部片を立設して構成した、Ｌ字形の本体枠の緊締受部片上に位置させて、前記本体枠と前記座金枠を互いに組合わせ、前記座金部片のカーテンウォール本体に接する前記前面の先端縁にカーテンウォール連結用の連結ボルトの貫通孔を設け、該貫通孔の緊締受部片側に、連結ボルトを螺合する螺子を刻設すると共に、前記該貫通孔が部分的に一致する横長の調節孔を、前記座金部片の後側に配した前記緊締受部片に設けた構成としたものである。
【０００７】
【実施例】
図面は本発明のカーテンウォール用ファスナーの一実施例を示し、図１は使用状態の縦断面図、図２は一部欠截平面図、図３は座金枠の斜視図、図４は座金枠の一部拡大断面図、図５は本体枠と座金枠の関係を示す斜視図図６は従来例の縦断面図である。
【０００８】
図中（従来例に対応する部材は同一符号で示す）、Ａはカーテンウォール用ファスナーで、ファスナーＡは、本体枠１と座金枠２を互いに組合わせて構成するものであって、本体枠１は、水平方向に配した取付部片３の先端に緊締受部片４を立設したＬ字形体で成り、取付部片３には躯体Ｂに固定するための固定ボルト５の貫通孔６を設け、また、緊締受部片４にはカーテンウォール本体Ｃのブラケット７を連結するための連結ボルト８の一対の調節孔９，９を設けたものである。
【０００９】
なお、本体枠１は鋼材で構成し、調節孔９は横長の長孔で構成してある。また、調節孔９を一対にしてあるのは、実施例のものが、カーテンウォール本体Ｃを構成する一対のユニット体Ｃ′，Ｃ″ごとに前記ブラケット７において前記座金枠２で取付けるためで、調節孔９および座金枠２は単一な構造のものであっても良い。
【００１０】
座金枠２は、前面２ａを横方向に沿う膨出円弧状にした座金部片１０の上端部に水平方向にして受支部片１１を連設し、該受支部片１１の前記座金部片１０側の先端に受止部片１２を立設し、座金部片１０のカーテンウォール本体Ｃすなわち前記ブラケット７に接する、前記前面２ａの先端縁２ａ′に、前記連結ボルト８を貫通させる断面円形の貫通孔１６を設け、該貫通孔１６の前記緊締受部片４側（座金部片１０の背面側）に前記連結ボルト８を螺合する螺子１３を刻設したものである。
【００１１】
しかして、固定ボルト５によって取付部片３を躯体Ｂに固定し、本体枠１の緊締受部片４の上端を、座金枠２の座金部片１０と受支部片１１とが成す隅角部に位置させるようにして、本体枠１と座金枠２を組合わせ、緊締受部片４側から連結ボルト８を調節孔９を通じて螺子１３に螺合させて貫通孔１６を貫通させて本体枠１と座金枠２を互いに仮止めし、緊締受部片４に対して各座金２を調節孔９に沿って移動させて位置調節した後、カーテンウォール本体Ｃに備えた高さ調整ボルト１４を受支部片１１上に載置して本体ＣをファスナーＡに掛止させ、かつ本体Ｃ側のブラケット７に設けた透孔１５に連結ボルト８を貫通させ、透孔１５より突出する連結ボルト８の先端に連結ナット１７を螺合締付けることによってカーテンウォール本体Ｃを躯体Ｂに取付けるのである。
【００１２】
【発明の効果】
本発明は前記の通りの構成であるから、本体枠に対して座金枠を自在に移動させて座金枠の位置調整を行うことができ、従って、座金枠を必要最小限の大きさにすることができる。
【００１３】
また、この結果、座金枠の座金部片に設ける貫通孔はカーテンウォール本体の接触縁である座金部片の前面の先端縁に必要最小限の径の大きさで形成すれば足り、従って、座金部片は膨出円弧状の前面の先端縁のみがいわば線状にしてカーテンウォール本体ないしブラケットに接触するからガタつくことがなく、取付け状態の安定したカーテンウォールを得ることができる。
【００１４】
なおまた、貫通孔の螺子を利用することにより、本体枠と座金枠を連結ボルトによって仮止めできるから取扱い上の不便さもない。
【図面の簡単な説明】
【図１】使用状態の縦断面図。
【図２】一部欠截平面図。
【図３】座金枠の斜視図。
【図４】座金枠の一部拡大断面図。
【図５】本体枠と座金枠の関係を示す斜視図。
【図６】従来例の縦断面図。
【符号の説明】
１              本体枠
２              座金枠
２ａ            前面
３              取付部片
４              緊締受部片
８              連結ボルト
１０            座金部片
１１            受支部片
１６            貫通孔
【図１】
0003650481.tif 000002
【図２】
0003650481.tif 000003
【図３】
0003650481.tif 000004
【図４】
0003650481.tif 000005
【図５】
0003650481.tif 000006
【図６】
0003650481.tif 000007